(57)【要約】      （修正有）【課題】無線通信を支障なく行いつつ、電池交換を容易に行える運動量測定装置を提供すること。【解決手段】ボタン型電池が収容される電池収容部と、電池収容部にネジ式となって螺着される蓋部材３０とを備え、蓋部材３０は、螺着した状態における内面３８にボタン型電池が着脱可能な着脱手段４０，４１と、ボタン型電池の装着領域３９の周囲を囲むようにしたＲＦＩＤ用アンテナ１９とを有し、着脱手段４０，４１は、装着領域３９に隣接し、少なくとも、装着領域３９の直径方向ＤＬにおける正反対の領域の夫々に立設することで、ボタン型電池の着脱を案内する一対のガイド部４０ａ，４１Ａと、一対のガイド部４０ａ，４１Ａの夫々と一体的に形成され、ボタン型電池を上から押えるようにして係止する爪部４０Ｂ，４１Ｂとを有する。【選択図】図５
2016049163.tif 000002
【特許請求の範囲】
【請求項１】
ボタン型電池が収容される電池収容部と、
前記電池収容部にネジ式となって螺着される蓋部材と
を備え、
前記蓋部材は、前記螺着した状態における内面に、前記ボタン型電池が着脱可能な着脱手段を有し、
前記着脱手段は、
前記ボタン型電池の装着領域に隣接し、少なくとも、前記装着領域の直径方向における正反対の領域の夫々に立設することで、前記ボタン型電池の着脱を案内する一対のガイド部と、
前記一対のガイド部の夫々と一体的に形成され、前記ボタン型電池を上から押えるようにして係止する爪部と、
を有することを特徴とする運動量測定装置。
【請求項２】
前記蓋部材は、前記ボタン型電池の装着領域の周囲を囲むようにしたＲＦＩＤ用アンテナを有することを特徴とする請求項１に記載の運動量測定装置。
【請求項３】
前記装着領域の周辺であって、前記一対のガイド部どうしを結ぶ仮想線と略直交する方向に、少なくとも前記ボタン型電池の厚みよりも低い突起部が形成され、
この突起部は、前記装着領域側に、前記装着領域から離れるに従って徐々に高さを増すようにされた傾斜面が形成されている
ことを特徴とする請求項１又は２に記載の運動量測定装置。
【請求項４】
前記ガイド部の外面が螺子部となっており、
前記電池収容部は、前記ボタン型電池が挿入され、前記螺子部が螺着されるネジ穴となる凹部を有する
ことを特徴とする請求項１乃至３のいずれかに記載の運動量測定装置。
【発明の詳細な説明】
【技術分野】
【０００１】
本発明は、ボタン型電池の収容部を備えた運動量測定装置に関する。
【背景技術】
【０００２】
小型で軽量なボタン型電池は様々な電子機器で使用されており、運動量を測定する歩数計や活動量計といった運動量測定装置でも、その携帯性を確保するため、ボタン型電池が数多く利用されている。
そして、この運動量測定装置については、近年、計測結果を自己管理したり医者に見せたりするために、そのデータをパーソナルコンピュータやスマートフォン等の端末機器に送信する機能を持たせたものがある。
【０００３】
特許文献１の運動量測定装置は、このようにボタン型電池を利用すると共に、データを端末機器に送信するための機能を備えた装置の例である。
具体的には、図１３に示すように、運動量測定装置１は、収納されたボタン型電池２が交換可能なように、ボタン型電池２の収容部を開閉できる蓋３を有している。
また、運動量測定装置１においては、データ送信するために、電磁界信号を介して近距離無線通信するＲＦＩＤ（Ｒａｄｉｏ  Ｆｒｅｑｕｅｎｃｙ  Ｉｄｅｎｔｉｆｉｃａｔｉｏｎ）用のアンテナコイル４を有している。
【先行技術文献】
【特許文献】
【０００４】
【特許文献１】特開２０１３−２２３６７１
【発明の概要】
【発明が解決しようとする課題】
【０００５】
ところで、図１３の運動量測定装置１では、把持して操作し易いように、周縁部の厚みを最も薄くして、全体的に高さのない円柱状とされている。このような形態は特許文献１に限ったことではなく、運動量測定装置の多くが、その携帯性や操作性を考慮して、小型であって、全体の厚みが薄く、かつ、その厚みを一様としていない。そうすると、小型の運動量測定装置においては、アンテナコイル４とボタン型電池２を並べて配置しようとすると、ボタン型電池２を平坦な部分に配置することがなかなか難しい。
また、運動量測定装置１では、運動する際にも所持しておく必要があることから、蓋３が簡単に外れないようにする必要もある。
このような事情から、図１３（Ｂ）に示すように、運動量測定装置１は、小さなネジ５を用いて電池交換用の蓋３を留めている。従って、電池交換する際は、ネジ５をいちいち刃先の幅が１ｍｍ〜１．５ｍｍ程度の精密ドライバーで外す必要があり、面倒であるし、また、ネジ溝が合わないドライバーを使ってネジ穴が潰たり、紛失することもあった。
そこで、本発明は、ボタン型電池の電池交換を極めて容易に行える運動量測定装置を提供することを目的とする。
【課題を解決するための手段】
【０００６】
上記課題は、ボタン型電池が収容される電池収容部と、前記電池収容部にネジ式となって螺着される蓋部材とを備え、前記蓋部材は、前記螺着した状態における内面に、前記ボタン型電池が着脱可能な着脱手段を有し、前記着脱手段は、前記ボタン型電池の装着領域に隣接し、少なくとも、前記装着領域の直径方向における正反対の領域の夫々に立設することで、前記ボタン型電池の着脱を案内する一対のガイド部と、前記一対のガイド部の夫々と一体的に形成され、前記ボタン型電池を上から押えるようにして係止する爪部と、を有する運動量測定装置により解決される。
【０００７】
上記構成によれば、電池収容部を開閉するための蓋部材は、電池収容部に螺着されるネジ式であるため、ドライバーがなくても蓋部材を回して電池収容部を確実に開閉できる。
さらに、蓋部材は、螺着した状態における内面に、ボタン型電池が着脱可能な着脱手段を有する。そうすると、ボタン型電池を蓋部材の内面に装着することができ、電池収容部に対する蓋部材の開閉に伴って、ボタン型電池を電池収容部から着脱できる。従って、電池収容部がボタン型電池を収容する深い凹状であっても、その凹状部から簡単にボタン型電池を取り出せる。
しかも、着脱手段は、ボタン型電池の装着領域に隣接し、少なくとも、装着領域の直径方向における正反対の領域の夫々に立設することで、ボタン型電池の着脱を案内する一対のガイド部を有する。従って、ボタン型電池を蓋部材に装着する際、例えば、一対のガイド部どうしを結ぶ仮想線と略直交する一方向にボタン型電池をスライドするように押せば、ガイド部で案内されながら一対のガイド部どうしの間、即ち、ボタン型電池の適正な装着領域に容易に配置される。
そして、一対のガイド部どうしの間にボタン型電池を配置すれば、一対のガイド部の夫々と一体的に形成された爪部により、ボタン型電池を上から押さえて蓋部材に固定することができる。なお、上記「上から押えて」とは、ボタン型電池の蓋部材からの離脱を防止する趣旨であり、当該離脱さえなければ、ボタン電池を蓋部材の内面に押し付けなくてもよい。
また、ボタン型電池を蓋部材から取り外すには、ボタン型電池を上記一方向にスライドするように押せばよく、ボタン型電池を押してスライドさせ続ければ、ボタン型電池は上から押えられていた爪部の位置から離れるので、当該爪部による係止状態が解除されて、蓋部材から取り外すことができる。
【０００８】
また、好ましくは、前記蓋部材は、前記ボタン型電池の装着領域の周囲を囲むようにしたＲＦＩＤ用アンテナを有することを特徴とする。
従って、蓋部材自身をネジ式にしたとしても、アンテナの通信性能を高めることができる。即ち、蓋部材自身をネジ式にして、電池収容部及び蓋部材を、ＲＦＩＤ用アンテナの配置を気にせずに平坦な領域に配置すると、小型の運動量測定装置においては、ＲＦＩＤ用アンテナの配置が制限されて、該アンテナを大きく形成することができない。しかし、本発明のＲＦＩＤ用アンテナは、ボタン型電池の装着領域の周囲を囲むように形成されるため、電池収容部及び蓋部材を平坦な領域に配置したとしても、アンテナを大きく形成して、通信性能を高めることができる。
【０００９】
また、好ましくは、前記装着領域の周辺であって、前記一対のガイド部どうしを結ぶ仮想線と略直交する方向に、少なくとも前記ボタン型電池の厚みよりも低い突起部が形成され、この突起部は、前記装着領域側に、前記装着領域から離れるに従って徐々に高さを増すようにされた傾斜面が形成されていることを特徴とする。
そうすると、例えば、ボタン型電池を蓋部材から取り外す際、上述のようにガイド部で案内されながらボタン型電池を指で押して、一対のガイド部どうしを結ぶ仮想線と略直交する方向にスライドさせると、ボタン型電池は背の低い突起部に当たって、片側が持ち上げられながらスライドする。従って、例えば蓋部材が小さくて、その縁部にリブ・突起・凸部等があっても、それらを容易に乗り越えてボタン型電池を蓋部材から取り外すことができる。
しかも、この突起部は装着領域側に傾斜面があるため、ボタン型電池は、突起部の傾斜面に案内されながら容易に持ち上げることができるので、より容易にボタン型電池の交換作業を行うことができる。
なお、上記突起部はボタン型電池を取り外す際だけではなく、装着する際にも利用することができる。
【００１０】
また、好ましくは、前記ガイド部の外面が螺子部となっており、前記電池収容部は、前記ボタン型電池が挿入され、前記螺子部が螺着されるネジ穴となる凹部を有することを特徴とする。
そうすると、一対のガイド部が電池収容部の凹部に螺着することになるため、蓋部材で電池収容部を閉じると、一対のガイド部に挟まれたボタン型電池は確実に固定される。特に、一対のガイド部の間にボタン型電池をスライドさせて挿入する必要上、ガイド部に所定の弾性力があっても、ガイド部が外側に広がる事態を防止できる。従って、例えば、ガイド部が２個所のみであって、その大きさが余り大きくなく、また、弾性力が多少大きかったりとしても、螺着する際にボタン型電池がガイド部から落下したり、位置がずれて端子に接触しなかったりする事態を防止できる。
【発明の効果】
【００１１】
以上より、本発明によれば、使用者にとって、電池交換を容易に行え、使い勝手がよい運動量測定装置を提供することができる。
【図面の簡単な説明】
【００１２】
【図１】本発明の運動量測定装置である例えば活動量計、及びこの活動量計で得られたデータを無線通信で受け取る端末装置を示す概略図。
【図２】図１の運動量測定装置の背面図。
【図３】図１の運動量測定装置の側面図。
【図４】図２の蓋部材を電池収容部から外した状態の斜視図。
【図５】図４の蓋部材の内面側を示す平面図。
【図６】図４の蓋部材にボタン型電池を装着して、蓋部材の内面側を視認した斜視図。
【図７】図４の蓋部材を電池収容部に螺着しようとする状態を、図６のＢ−Ｃ−Ｄ線の組合せ断面位置で説明する図。
【図８】図４の蓋部材に対して、ボタン型電池を装着する操作と、ボタン型電池を取り外す操作を示す図。
【図９】図４の蓋部材に対して、ボタン型電池を表裏逆向きに取り付けようとする場合の例を示す図。
【図１０】本実施形態の第１変形例であって、ボタン型電池を蓋部材に装着する操作を示す図。
【図１１】本実施形態の第２変形例であって、図７に対応した図。
【図１２】本実施形態の第３変形例であって、図６に対応した図。
【図１３】従来の運動量測定装置であり、図１３（Ａ）は側面図、図１３（Ｂ）は背面図。
【発明を実施するための形態】
【００１３】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
なお、以下の各図において、同一の符号を付した箇所は同様の構成である。
また、以下の説明において、特段の説明がない限り、正面は表示部がある側の面、背面はその反対側の面を意味する。
【００１４】
〔運動量測定装置の概要〕
先ず、運動量測定装置１０の概要を、図１を用いて説明する。
図１は本発明の実施形態に係る運動量測定装置１０の正面と、この運動量測定装置１０で得られたデータを無線通信で受け取る端末装置１００を示す概略図である。
なお、本実施形態の運動量測定装置１０は、本発明の好適な例として、多くの種類の測定値を得られる活動量計を示しているが、本発明はこれに限られるものではなく、例えば、歩行数を積算して使用者に知らせる歩数計等であっても構わない（以下、「運動量測定装置」を「活動量計」という）。
【００１５】
活動量計１０は、外径５２ｍｍ程度，重さ２６ｇ程度で、その内部にＸ軸、Ｙ軸、Ｚ軸の加速度センサ（いわゆる３軸加速度センサ）を有し、この加速度データから人間の身体の活動量（運動量）を測定する装置であり、測定を希望する使用者が腕や手の動きに影響を受けないように着衣した衣服の適所に装着，挿入するなどして携帯することで、当該使用者の身体の３次元の動きに追従して活動量を測定する構成となっている。
この活動量計１０は、ポケット等に収容可能な小型で、全体が薄い略円柱状（厚さ１３ｍｍ程度）であり、そして、片手で把持しながら親指ＴＨと人指し指ＦＯで、設定・操作部として機能する操作ボタン１６，１７を所定秒（例えば２秒程度）押圧する操作可能とすることで、ストップウォッチのような携帯性と操作性を兼ね備えている。こうすることで、誤ってボタン１６，１７を一瞬（１秒程度まで）押圧しても不感状態であるため、使用時の誤った表示や動作を防止することになる。
活動量計１０の正面は、周縁部のみを帯状に残すようにして、殆どの領域（中央領域）が略円形状の表示部１１とされている。表示部１１はＬＥＤや液晶等からなり、ここに測定した種々のデータが、使用者の指示に基づいて表示される。
本実施形態の測定対象は、「歩数」、「歩行距離」、「身体活動で消費したカロリー」、「基礎代謝と消費カロリー等で消費した総消費カロリー」、「中程度時間」である。これら各項目の測定値は、加速度センサの検出データや、ボタン１６，１７を操作で予め入力された年齢や性別等のデータを使用して、図示しないＩＣ（ｉｎｔｅｇｒａｔｅｄ  ｃｉｒｃｕｉｔ）からなる制御部が所定のアルゴリズムに基づいて算出している。
【００１６】
なお、上記「中程度時間」とは、有酸素運動を促して血糖値や高血圧等を抑制し、生活習慣病改善に役立つ中程度の強度の運動（身体活動）をした時間であり、表示部１１では、１日の中程度レベルの運動時間を累積して表示可能としている。また、表示部１１は、図のように、縦軸を厚生労働省等が関与して中程度運動の強度の基準として定められた「メッツ（ＭＥＴｓ）」とし、横軸を時間とするグラフ１３を表示可能としており、これにより中程度運動の継続時間や時間帯を容易に把握できるようにしている。また、表示部１１には、中程度の運動をしている場合に、そのことをＬＥＤが点灯または点滅して知らせるマーク１４も設けられている。さらに、表示部１１は、その外縁に円弧状に配置された中強度活動時間等の目標に対する達成程度を表示する達成ゲージ１５を有している。この達成ゲージ１５には、目標達成までの経過等が点灯等で表示される構成となっている。
【００１７】
そして、このような運動ないし活動に関する各測定値は、活動量計１０のデータ通信機能により、自宅や病院に置かれたコンピュータやスマートフォン等の端末装置（図１の場合はコンピュータ）１００に送信して保存することができる。
本実施形態のデータ通信機能は、ＲＦＩＤ（Ｒａｄｉｏ Ｆｒｅｑｕｅｎｃｙ Ｉｄｅｎｔｉｆｉｃａｔｉｏｎ）の中でも、探索・ペアリングを必要とせず、活動量計１０の所定部分をリーダー・ライタ２０３に近づけるだけで通信処理を自動的に開始するＮＦＣ（Ｎｅａｒ  ｆｉｅｌｄ  ｃｏｍｍｕｎｉｃａｔｉｏｎ）を利用している。
【００１８】
〔活動量計のデータ通信に関する構造など〕
次に、上述したデータ通信に関する構造などを、図２及び図３を用いて説明する。
図２は活動量計１０の背面図、図３は活動量計１０の側面図である。
図３に示すように、活動量計１０は、その内部に格納され、不図示のワークエリアとして測定データや各種データを一時的に記憶するＲＡＭ，装置全体の動作の判断・制御を行うプログラムや各種データを記憶するＲＯＭを含む制御部（ＣＰＵ）等が実装された回路基板１２上の無線通信用回路と電気的に接続されたＲＦＩＤ用アンテナ１９を有している。このアンテナ１９は、本実施形態の場合、１３．５６ＭＨｚの通信周波数帯を利用した近距離通信規格であるＮＦＣに対応した近距離無線通信用アンテナである。
そして、アンテナ１９が配置された領域ＡＲをリーダー・ライタ２０３に近づけると、アンテナ１９はリーダー・ライタ２０３から発せられた微弱電波により電磁誘導で電力を取得し、この電力を契機にして、回路基板１２上の無線通信用回路を構成するＩＣチップが、設定されたプロトコルによりリーダー・ライタ２０３にデータを伝送するようになっている。
【００１９】
アンテナ１９は、図２に示すように、１ターン以上巻回されたリング状のループアンテナである。ループアンテナには公知のものを利用できるが、本実施形態の場合、薄くて軽くなるように、ポリイミドやＰＥＴ等からなるフィルム状のフレキシブル基板に、金・銀・銅・アルミニウム等の導電性部材からなるアンテナコイルを蒸着などして形成される所謂フィルムアンテナが用いられている。なお、本発明のアンテナはこのようなフィルムアンテナに限られるものではなく、例えば、エナメル線等の線状の導体を巻回してループ状にしても構わない。
【００２０】
このアンテナ１９がある領域ＡＲは、図２及び図３に示すように、ケース本体５５の背面側中央部の平坦な領域であって、アンテナ１９がある領域ＡＲをリーダー・ライタ２０３に平行に近づけ易くなっている。また、活動量計１０は、ケース本体５５の背面側の周縁部１０ａが中央部に向かって除々に厚みが大きくなるように傾斜しているため、ケース本体５５の側面１０ｂを摘まむ指が、リーダー・ライタ２０３に近づける際、リーダー・ライタ２０３に接触し難くなっている。
【００２１】
以上のような活動量計１０については、表示部１１や回路基板１２の回路等に電力を供給するため、ボタン型電池ＢＡを収容可能としている。
具体的には、ボタン型電池ＢＡは、図３に示すように、平坦な中央領域ＡＲに配置された電池収容部１０１に収容され、電池収容部１０１は、図２に示す蓋部材３０により開閉されるようになっている。
そして、上述したアンテナ１９は、このボタン型電池ＢＡの装着領域の周囲を囲むように配置されている。従って、ボタン型電池ＢＡの装着領域が中央部にあったとしても、ＮＦＣ用のアンテナ１９を大きく形成して、磁束を可及的に遠くに作用させて通信性能を高めることができる。このようなアンテナ１９は蓋部材３０側に配置されている（この点については、後で詳細に説明する。）
【００２２】
次に、電池収容部１０１と蓋部材３０の詳細な構造を説明するが、その前に、ボタン型電池ＢＡについて、予め図６を参照して簡単に説明しておく。
ボタン型電池ＢＡはコイン型電池ともいい、多くは一次電池であり、例えばリチウム電池やアルカリマンガン電池等である。ボタン型電池ＢＡは、全体が薄い円柱状であり、プラス電極２９Ａとマイナス電極２９Ｂと絶縁体２９Ｃを有する。プラス電極２９Ａは、蓋部材３０の内面３８と対面して配置される円形状の底面２９Ｄと、この底面２９Ｄと電気的につながった外周側面２９Ｅを有する。このようなボタン型電池ＢＡは、図６のように主面に配置されたマイナス電極２９Ｂを上向きにした場合、略絶縁体２９Ｃの位置に段部（図の場合は上向きの段部）２９Ｆを有している。
なお、種類としては、大きさ（直径）や厚さの違いにより、ＣＲ１６２０，ＣＲ２０１６，ＣＲ２０２５，ＣＲ２０３２，ＣＲ２３５４，ＣＲ２４５３，ＣＲ３０３２等がある。ここで、上２桁の数字は直径（ｍｍ），下２桁の数字は厚さを示している。例えば、ＣＲ１６２０は、直径１６ｍｍ，厚さ２．０ｍｍ、ＣＲ２０３２は、直径２０ｍｍ，厚さ３．２ｍｍである。本願明細書では、ＣＲ２０３２を例として説明する。
【００２３】
〔蓋部材と電池収容部の構成〕
次に、蓋部材３０と電池収容部１０１の構成を、主に図４を用いて説明する。
図４は蓋部材３０を電池収容部１０１から外した状態の斜視図である。
図４に示すように、蓋部材３０は全体的に厚みの小さい円柱状であって、その内面（蓋部材３０を閉じた状態における電池収容部１０１と対向する面）にボタン型電池ＢＡが着脱可能とされている。そして、ボタン型電池ＢＡが装着された蓋部材３０で電池収容部１０１を封止することで、ボタン型電池ＢＡはケース本体５５の背面側に設けられた電池収容部１０１に収容されると共に、各端子６８，６９に対して接触される。
従って、蓋部材３０を閉じれば（詳細は後述）ボタン型電池ＢＡを取り付けられ、また、蓋部材３０を開ければ（詳細は後述）ボタン型電池ＢＡは蓋部材３０に装着されたまま取り外されるので、電池収容部１０１がボタン型電池ＢＡを取り出し難い形状であっても、簡単にボタン型電池ＢＡを取り出せる。
【００２４】
具体的には、蓋部材３０で封止される電池収容部１０１は、２段の穴構造となっており、ボタン型電池ＢＡが挿入される凹部である「電池収容空間部１０２」と、ケース本体５５（図２参照）の表面と蓋部材３０の外面３０Ｃとが同一面となるように蓋部材３０が嵌められる「蓋収容空間部１０３」とを有している。
電池収容空間部１０２は、蓋収容空間部１０３よりも内側に形成され、ボタン型電池ＢＡ、及びボタン型電池ＢＡを蓋部材３０に着脱するための後述する着脱手段４０,４１（図６参照）の形状に対応した凹部である。
【００２５】
電池収容空間部１０２の内側底面１０２ａにはマイナス接続端子部６９が、内周側面１０２ｂにはプラス接続端子部６８が、それぞれ設けられている。
マイナス接続端子部６９は、ボタン型電池ＢＡの主面にあるマイナス電極２９Ｂ（図６参照）と接触する接続端子である。マイナス接続端子部６９は、図示しない電子回路に接続された導出部分６９Ｂと繋がった複数本の接続端子部６９Ａを有する。図４の接続端子部６９Ａは、電池収容空間部１０２の中央ＯＰから半径方向に沿って形成された３本の板バネ状であり、この３本の接続端子部６９Ａの先端部側が図の蓋部材３０側に１ｍｍ程度立ち上げてある。これにより、電池収容空間部１０２にボタン型電池ＢＡを収容すると、３本の接続端子部６９Ａがボタン型電池ＢＡのマイナス電極２９Ｂ（図６参照）に対して、弾性変形しながら接触すると共に、ボタン型電池ＢＡを３点で押圧しバランスよく支持できる。
プラス接続端子部６８は板バネ状であって、電池収容空間部１０２にボタン型電池ＢＡを収容すると、ボタン型電池ＢＡのプラス電極である外周側面２９Ｅに押し付けられて弾性変形しながら接触する。具体的には、電池収容空間部１０２の内周側面１０２ｂには穴６７が形成されている。そして、プラス接続端子部６８は、蓋部材３０側の端部６８ａと内側底面１０２ａ側の端部６８ｃが穴６７に隠れ、端部６８ａと端部６８ｃとの間の部分６８ｂが中心ＯＰに向かって穴６７から突出するようにして、湾曲している。そして、ボタン型電池ＢＡを電池収容空間部１０２に収容していくと、プラス接続端子部６８は、突出した部分６８ｂが弾性変形しながら外周側面２９Ｅに押圧して接触するようになっている。
【００２６】
蓋収容空間部１０３は、蓋部材３０が嵌め込まれる空間であり、その内周側面１０３ａには蓋部材３０の外周側面３０ｂが対面し、かつ、外周側面３０ｂに設けられたＯリング７１が密着し、これにより電池収容部１０１は液密に封止される。
表示部１１を覆う透明部材と、顔料を混合し不透明なケース本体５５の表面側を例えば熱可塑性樹脂であるスチレン系樹脂（ハイインパクトスチロール，ＡＢＳ樹脂等）で２色成形し、ケース本体５５の背面側も同様の熱可塑性樹脂で成形し、ケース本体５５の表面側とケース本体５５の背面側をＯリングを介して数か所（好ましくは４ケ所）をネジ止めするとともに、ケース本体５５の背面側に設けたボタン１６，ボタン１７の摺動部にもＯリングを設けることで液密構造となり、不用意に洗濯槽等に水没させてもすぐに引き上げることで故障を防止することができる。
この蓋収容空間部１０３は、電池収容空間部１０２よりも正対視における面積が大きく、図４に示すように活動量計１０の背面を上側にした場合、電池収容部１０１の中には上向きの段部７５が形成されている。
この段部７５には、図３の回路基板１２上の無線通信用回路を構成するＩＣチップと電気的に接続されたアンテナ用端子７３，７４が設けられている。アンテナ用端子７３，７４は、図４の段部７５に形成された穴７２から突出して配置された板バネ状である。このアンテナ用端子７３，７４には、蓋部材３０に配設されたアンテナ１９が電気的に接続される（この点については後で詳細に説明する）。
【００２７】
以上のような蓋部材３０と電池収容部１０１との接続構造については、蓋部材３０が電池収容部１０１に螺着されるネジ式とされることで構成されている。
具体的には、蓋部材３０は螺子部５６（図６参照。図６の場合は雄ネジ。）を有し、図４の電池収容空間部（凹部）１０２の内周側面１０２ｂには、図６の螺子部５６が螺着されるネジ穴（図４の内周側面１０２ｂは雌ネジ）が形成されている。また、図４に示すように、蓋部材３０は、使用時に外部に露出する外面３０Ｃの中央部に、身近にあるコイン（例えば、１円硬貨，５円硬貨，１０円硬貨，１００円硬貨，外国の硬貨）等を差し入れて回すための所定の幅（例えば１．５ｍｍ〜２．０ｍｍ程度）、所定の長さ（例えば１５ｍｍ程度）、所定の深さ（例えば１．５ｍｍ〜２．０ｍｍ程度）スリット８９を有している。このようにして、本実施形態では、刃先の幅が１ｍｍ〜１．５ｍｍ程度の精密ドライバーがなくても蓋部材３０を図４のＳＰ方向に回して電池収容部１０１を極めて容易に確実に開閉できるようにしている。
【００２８】
〔蓋部材の詳細〕
次に、蓋部材３０について、図５及び図６を用いてさらに詳細に説明する。
図５は蓋部材３０の内面側を示す平面図、図６ボタン型電池ＢＡを装着した蓋部材３０の内面（図４に示す外面３０Ｃの裏側の面であり、蓋部材３０を閉じた状態における電池収容部１０１と対面する面）を視認した斜視図である。なお、図５の一点鎖線で囲った図は、後述する着脱手段４１の拡大斜視図、図５の二点鎖線で囲った図は、図５のＡ―Ａ線部分断面図である。また、図５の網掛け部分はアンテナ１９の位置を理解の便宜のために示したものである。
【００２９】
これらの図の蓋部材３０は、周縁部３０Ａを除く領域（以下、「中央領域」という）３０Ｂがボタン型電池ＢＡを着脱する領域である。
周縁部３０Ａには、即ち、ボタン型電池ＢＡの装着領域から所定の距離Ｌ１をおいて当該装着領域の周囲を囲むようにして、上述したＮＦＣ用アンテナ１９が内蔵されている。
この内蔵されたアンテナ１９は、周縁部３０Ａの内、最も外側にある縁部に形成された高台部２５の端面に引き出されて、接続パッド２６，２７に接続されている。接続パッド２６，２７は、蓋部材３０を電池収納部１０１に螺着した場合、図４のアンテナ用端子７３，７４に接続されるＡｌ合金膜等の導電体である。なお、図５では、アンテナ１９を簡略化して一本の帯として図示しているが、アンテナ１９は上述のように１ターン以上巻回されたフィルムアンテナである。このアンテナ１９及びパッド２６，２７等については後で詳細に説明する。
【００３０】
図５と図６の蓋部材３０の中央領域３０Ｂについて、その内面３８には、ボタン型電池ＢＡを位置決めするための円形状の位置決め用の凹部３９が形成されている。この位置決め用の凹部３９は、ボタン型電池ＢＡの装着領域（装着すべき適正な領域）に対応した平面形状を有している（図の場合、凹部３９の直径は、ボタン型電池ＢＡの円形状の底面２９Ｄの直径とほぼ同じである）。そして、このボタン型電池ＢＡの装着領域である凹部３９にボタン型電池ＢＡを載置すると、プラス電極２９Ａの円形状の底面２９Ｄ及び外周側面２９Ｅの一部が浅くはめ込まれて、ボタン型電池ＢＡは、マイナス電極２９Ｂを上にして位置決めされる。
図の凹部３９は、０．２〜０．５ｍｍ程度で１ｍｍにも満たないごく浅い深さであるが、後述する爪部４０Ｂ，４１Ｂと共同して、ボタン型電池ＢＡを蓋部材３０に有効に位置決めできる（なお、ボタン型電池ＢＡは、円周方向には回動自在であり、上下方向は、爪部４０Ｂ，４１Ｂ，凹部３９で規制される）。
【００３１】
そして、蓋部材３０の内面３８には、ボタン型電池ＢＡを着脱可能にするための着脱手段４０，４１が形成されている。着脱手段４０，４１は、内面３８を上向きにしてボタン型電池ＢＡをその上に装着した状態で、上側に向かって突出する２つの突出部であり、例えば、弾性熱可塑性樹脂であるスチレン系樹脂（ハイインパクトスチロール，ＡＢＳ樹脂等）に顔料を添加して不透明に形成されて所要の弾性力を備えている。抗菌性を持たせるために、さらに添加物として、銀ゼオライト，銀シリカゲル，リン酸ジルコニウム銀化合物等の銀化合物を１．５重量％程度添加することができる。
この着脱手段４０，４１は、ボタン型電池ＢＡを蓋部材３０に位置決め規制する機能（円周方向には回動自在）、及びボタン型電池ＢＡを着脱する際の案内となるガイド機能を発揮させるためのものであり、ガイド部４０Ａ，４１Ａと爪部４０Ｂ，４１Ｂを有している。
【００３２】
ガイド部４０Ａ，４１Ａは、位置決め用の凹部（装着領域）３９の円周に沿って隣接しており、ボタン型電池ＢＡを装着した状態では、ボタン型電池ＢＡの外周側面２９Ｅに隣接又は接触している。このガイド部４０Ａ，４１Ａは、ボタン型電池ＢＡの直径方向ＤＬにおける正反対（１８０度反対側）の領域Ｓ１，Ｓ２の夫々に、略垂直に立ち上がるように立設して、一対とされている。すなわち、一対のガイド部４０Ａ，４１Ａは、その間にボタン型電池ＢＡを介在させて、ボタン型電池ＢＡの直径方向ＤＬに沿って、互いに対向するように配置されている。
これにより、ボタン型電池ＢＡは、ガイド部４０Ａとガイド部４１Ａとを結ぶ仮想線（直径方向ＤＬの線）と略直交するスライド方向ＳＬにのみ通すことが可能となる。従って、使用者は、ボタン型電池ＢＡを蓋部材３０に装着する際は、ガイド部４０Ａとガイド部４１Ａの間にボタン型電池ＢＡをスライドさせるように押して、２個所のガイド部４０Ａ，４１Ａに案内されながら、位置決め用の凹部３９にボタン型電池ＢＡを配置できる。なお、ボタン型電池ＢＡを蓋部材３０から取り外す際は、同様にボタン型電池ＢＡをスライド方向ＳＬにスライドさせるように親指等で３００〜５００ｇｆ程度の力で押して、容易に取り外すことができる。
【００３３】
本実施形態のガイド部４０Ａ，４１Ａは、互いに対向する面１８（図５の一点鎖線で囲った図参照）が、図６に示すように、ボタン型電池ＢＡの外周側面２９Ｅの一部分に当接して挟持するようにもなっている。
図５と図６に示すガイド部４０Ａ，４１Ａは、ボタン型電池ＢＡの外周側面２９Ｅの円周方向に沿った所要の幅Ｗ（好ましくは円周方向の１／１３程度）を有し、互いに対向する面１８がボタン型電池ＢＡの外周側面２９Ｅに対応して湾曲することで、挟持度合を高めている。このようにガイド部４０Ａ，４１Ａは所要の幅Ｗを有していても、互いを結ぶ仮想線の方向（図の方向ＤＬ）に所要の弾性力を有しているため弾性変形する。このようにして、ガイド部４０Ａ，４１Ａはボタン型電池ＢＡを挟持すると共に、スライド方向ＳＬに向けてのボタン型電池ＢＡのスライドを可能とする。
【００３４】
さらに、本実施形態のガイド部４０Ａ，４１Ａは、外面（一対のガイド部４０Ａ，４１Ａが互いに対向する面１８の裏側の面）が螺子部５６となっている。従って、内面３８から突出したガイド部４０Ａ，４１Ａを、図４の電池収容空間部１０２に少し挿入して、蓋部材３０を回転させれば、電池収容空間部１０２の内周側面１０２ｂと図６のガイド部４０Ａ，４１Ａが螺着される。この点、蓋部材３０を電池収容部１０１に螺着した状態では、２個所のガイド部４０Ａ，４１Ａは、直径方向ＤＬの外側に広がる所定の弾性力があっても、図４の内周側面１０２ｂに押えられているので、外側に広がることがない。従って、ガイド部４０Ａ，４１Ａに挟まれたボタン型電池ＢＡは確実に位置決め固定される。
なお、図６のガイド部４０Ａ，４１Ａは２箇所のみであって、図４の内周側面１０２ｂに沿って回動することで螺着される必要があるため、図６のガイド部４０Ａ，４１Ａの円周方向に沿った幅Ｗは、図４のプラス接続端子部６８が配置される穴６７の円周方向に沿ったＷ１よりも大きいことが好ましい。
【００３５】
図５及び図６に示す爪部４０Ｂ，４１Ｂは、主にボタン型電池ＢＡの上下方向を位置決めして固定する機能を有し、２箇所のガイド部４０Ａ，４１Ａの夫々と一体的に形成され、ボタン型電池ＢＡの直径方向ＤＬの正反対の夫々の領域Ｓ１，Ｓ２に配置されている。そして、図６に示すように、爪部４０Ｂ，４１Ｂはボタン型電池ＢＡを上から押えるようにして係止している。この「上から押える」とは、爪部４０Ｂ，４１Ｂでボタン型電池ＢＡを内面３８に強く押さえ付けることを意味するものではなく、ボタン電池ＢＡが蓋部材３０から離脱するような内面３８からの浮きを防止する趣旨である。
図の場合、爪部４０Ｂ，４１Ｂは、ガイド部４０Ａ，４１Ａの夫々の上端部から、互いに向かい合うように内側に向けて略水平に突出して形成されている。そして、爪部４０Ｂ，４１Ｂは、ボタン型電池ＢＡの外周側面２９Ｅの上縁部分、即ち、段部２９Ｆに掛かるようになっている。これにより、位置決め用の凹部３９からボタン型電池ＢＡが飛び出る事態を防止しており、この際、本実施形態では、爪部４０Ｂ，４１Ｂでボタン型電池ＢＡを押えている状態では、ボタン型電池ＢＡが当該凹部３９から出ない範囲内で、蓋部材３０の内面３８から若干浮かせている。
なお、２個所の爪部４０Ｂ，４１Ｂの互いに対向する面１９（図５の一点鎖線で囲った図参照）はボタン型電池ＢＡのリング状の絶縁体２９Ｃに略対応して湾曲している。
また、２個所の爪部４０Ｂ，４１Ｂは、ボタン型電池ＢＡを蓋部材３０に縦方向に位置決め規制するもので、０．５〜１．０ｍｍ程度の厚みであるが、いずれか１箇所でも機能する。
【００３６】
また、図５と図６に示すように、蓋部材３０の内面３８上には、位置決め用の凹部（ボタン型電池ＢＡの適正な装着領域）３９の周辺であって、ボタン型電池ＢＡがスライドする方向（２個所のガイド部４０Ａ，４１Ａどうしを結ぶ仮想線と略直交する方向）ＳＬの片側に突起部４２が形成されている。
突起部４２は、ボタン型電池ＢＡを取り外す際に、スライドさせたボタン型電池ＢＡを持ち上げるリフトアップ機能を有し、ボタン型電池ＢＡに突き当たってボタン型電池ＢＡのスライドを完全に防止しないように、少なくともボタン型電池ＢＡの厚みよりも低い高さＨとされている。
この突起部４２は、装着したボタン型電池ＢＡの外周側面２９Ｅに隣接して配置するのが好ましく、これにより、ボタン型電池ＢＡを故意に押すような外力が加わらない限り、ボタン型電池ＢＡが装着領域を越えてスライド方向ＳＬにスライドしてしまう事態も防止するストッパの機能を発揮できる。
このようなリフトアップ機能とストッパの機能を満たすため、突起部４２の高さＨは１〜２ｍｍ程度（即ち、使用されているボタン型電池ＢＡの厚さの１／３〜１／２程度）、幅Ｗ２は１〜２ｍｍ程度とされるのが好ましい。即ち、突起部４２の高さＨは、２ｍｍを超えるとボタン型電池ＢＡを位置決め用の凹部３９から外す時にリフトアップ機能の阻害となり、１ｍｍより小さいとボタン型電池ＢＡを装着するときに、スライド方向ＳＬのストッパとしての機能が低下する。また、幅Ｗ２は、２ｍｍを超えるとボタン型電池ＢＡを位置決め用の凹部３９から外す時にリフトアップ機能の阻害となり、１ｍｍより小さいとボタン型電池ＢＡを装着するときに、スライド方向ＳＬのストッパとしての機能が低下する。
なお、本実施形態の突起部４２は、図５の二点鎖線で囲った図に示すように、位置決め用の凹部３９の円周に沿って、当該凹部３９の内周側面３９ａから連続して立ち上がるように形成されている。
【００３７】
そして、この突起部４２は傾斜面４３を有している。
傾斜面４３は、装着したボタン型電池ＢＡ側（位置決め用の凹部３９側）に、ボタン型電池ＢＡから離れるに従って徐々に高さを増すようにされた傾斜案内部であり、具体的には、ボタン型電池ＢＡを取り外す際に突起部４２に向かうＳＬ方向に親指等でスライドさせた場合、蓋部材３０の縁部の高台部２５を乗り越えられる傾斜角度θとして、４０度〜５０度、好ましくは４５度とするのがよく、これにより、ボタン型電池ＢＡを突起部４２に向かうＳＬ方向に押すだけで、容易に取り外せる。この傾斜角度θは５０度を超えると、ボタン型電池ＢＡを位置決め用の凹部３９から外す時に、容易なリフトアップ機能の邪魔となり、４０度より小さいとボタン型電池ＢＡを装着するときに、スライド方向ＳＬのストッパとしての機能が低下する。
【００３８】
〔蓋部材と電池収容部の電気的・機械的接続〕
次に、ボタン型電池ＢＡが装着された蓋部材３０を、各端子が配設された電池収容部１０１に対して、電気的及び機械的に同時に接続する構造などについて、図７を用いて詳細に説明する。
図７は、蓋部材３０を電池収容部１０１に螺着しようとする状態を、図６のＢ−Ｃ−Ｄ線の組合せ断面位置により説明する図である。なお、理解の便宜のため、ボタン型電池ＢＡは断面で図示していない。
【００３９】
既に説明したように、電池収容部１０１は、蓋収容空間部１０３および電池収容空間部１０２を有している。
蓋収容空間部１０３は、蓋部材３０の着脱手段４０，４１を除いた領域の外形に対応しており、図の場合、その開口面積が蓋部材３０の外面３０ｃの面積と略同じであり、かつ、内周側面１０３ａの高さが蓋部材３０の高台部２５の高さＨ１と略同じである。
電池収容空間部１０２は、ボタン型電池ＢＡが挿入される凹部であるが、具体的には、着脱手段４０，４１を含めたボタン型電池ＢＡが挿入されるようになっている。そして、電池収容空間部１０２の内周側面１０２ｂには雌ネジが形成され、ここに、着脱手段４０，４１のガイド部４０Ａ，４１Ａの外面に形成された雄ネジである螺子部５６が螺着するようになっている。これにより、蓋部材３０のスリット８９にコイン等を差し入れてＳＰ方向に回せば、ガイド部４０Ａ，４１Ａの螺子部５６が電池収容空間部１０２の内周側面１０２ｂに螺着されると共に、蓋部材３０はケース本体５５と同一面になるようにして蓋収容空間部１０３に嵌められる。
【００４０】
そして、このようにネジ式の蓋部材３０を電池収容部１０１に螺着さえすれば、各端子や接続パッドを接触させることができる。
具体的には、蓋部材３０側については、マイナス電極２９Ｂが電池収容空間部１０２側を向き、かつ、プラス電極である外周側面２９Ｅが露出するようにして、着脱手段４０，４１でボタン型電池ＢＡが位置決め固定されている。また、ボタン型電池ＢＡや着脱手段４０，４１が配置された直径２５ｍｍ〜３０ｍｍの中央領域３０Ｂを囲むようにして周縁部３０Ａがあり、この周縁部３０Ａにアンテナ１９が配設されている。
アンテナ１９は薄いフィルム状であって、蓋部材３０の内面３８に形成された中央領域３０Ｂを囲む円形状の溝部９２の中に位置決めされて配置されている。そして、アンテナ１９の一部が引き出されて、高台部２５の端面の接続パッド２６に接続されている。また、アンテナ１９を覆い隠すようにして、アンテナ１９の上にはリング状の軟磁性部材９３が配設されている（図５及び図６も参照）。軟磁性部材９３はボタン型電池ＢＡ等の影響を回避するためのもので、フェライト板や磁性金属粉末を樹脂に混合した金属製樹脂シートなどが利用できる。
これに対して、電池収容部１０１側については、蓋収容空間部１０３の内側底部（電池収容部１０１の中の段部）７５に形成された穴７２に、高台部２５の接続パッド２６に対向するようにしてアンテナ用端子７４が配置されている。また、電池収容空間部１０２の内側底面１０２ａには、ボタン型電池ＢＡの主面にあるマイナス電極２９Ｂに対向するようにして、マイナス接続端子部６９が配置されている。
このようにして、蓋部材３０をＳＰ方向に回して電池収容部１０１に螺着していけば、マイナス電極２９Ｂとマイナス接続端子部６９が、プラス電極である外周側面２９Ｅとプラス接続端子部６８（図４参照）が、接続パッド２６とアンテナ用端子７４が、それぞれ接触する。なお、図７では示されていない図６の接続パッド２７と図４のアンテナ用端子７３も同様に接触する。
【００４１】
〔ボタン型電池の着脱操作〕
次に、蓋部材３０にボタン型電池ＢＡを装着する操作と、ボタン型電池ＢＡを取り外す操作について、主に図８を用いて説明する。
本実施形態において、ボタン型電池ＢＡを装着する方法は複数ある。図８（Ａ）では、使用者は、ボタン型電池ＢＡのプラス電極２９Ａ側を内面３８に向けて載せた状態で、指Ｆでボタン型電池ＢＡを押してＳＬ方向にスライドさせ、ボタン型電池ＢＡを突出した着脱手段４０と着脱手段４１との間に載置している。この際、図８（Ａ）に示すように、突起部４２が存在しない方（図５のＳ３の方）からボタン型電池ＢＡを挿入してもよいが、突起部４２が存在する方からボタン型電池ＢＡを挿入してもよい。
突起部４２が存在しない方からボタン型電池ＢＡを挿入する場合、ボタン型電池ＢＡを力強く挿入してしまっても、ボタン型電池ＢＡの外周側面２９Ｅの一部分が突起部４２に突き当たり、ボタン型電池ＢＡを挿入し過ぎて、突出部４０と突出部４１との間にボタン型電池ＢＡを配置できないような事態を有効に防止できる。
また、突起部４２が存在する方からボタン型電池ＢＡを挿入する場合、傾斜面４３を案内面としてスライドさせながら、ボタン型電池ＢＡを力の入れやすい斜め上から押すようにして、着脱手段４０と着脱手段４１との間にボタン型電池ＢＡを容易に装着できる。
なお、本発明は、ボタン型電池ＢＡをＳＬ方向にスライドさせて、突出部４０と突出部４１との間に載置させる方法に限られるものではなく、相当の弾性変形が可能な着脱手段４０，４１の上からボタン型電池ＢＡを押し込むように装着してもよい。
【００４２】
そして、着脱手段４０と着脱手段４１との間にボタン型電池ＢＡを配置すれば、図８（Ｂ）と図６に示すように、ボタン型電池ＢＡのプラス電極２９Ａと外周側面２９Ｅの一部を、蓋部材３０の極浅い位置決め用の凹部３９に嵌め込んで位置決めすることでき、この凹部３９でボタン型電池ＢＡの主面方向の動きを規制しつつ、爪部４０Ｂ，４１Ｂで凹部３９からボタン型電池ＢＡが出ないようにし、さらに、ガイド部４０Ａ，４１Ａでボタン型電池ＢＡの直径方向ＤＬの動きを規制することができる。
【００４３】
ところで、使用者が蓋部材３０に対して、ボタン型電池ＢＡを表裏逆向きに取り付けようとしている図９に示すように、本実施形態では、ボタン型電池ＢＡの主面（マイナス電極２９Ｂ）を内面３８に向けた場合、ボタン型電池は爪部４０Ｂ，４１Ｂに当たって装着できないようになっている。
即ち、ボタン型電池ＢＡを保持するための爪部４０Ｂ，４１Ｂは、ボタン型電池ＢＡの段部２９Ｆと係止し、図９に示すように、使用者が、蓋部材３０に対して、当該段部２９Ｆを下向きにしてＨＲ方向に挿入しようとすると、ボタン型電池ＢＡの外周側面２９Ｅの特に角部分２０Ｇが、爪部４０Ｂ，４１Ｂに突き当たるようになっている。
このように、爪部４０Ｂ，４１Ｂは表裏逆のボタン型電池ＢＡが装着されて保持されるのを阻止する電池逆装着阻止部となっている。従って、使用者が、蓋部材３０に、表裏逆向きになったボタン型電池ＢＡを誤って取り付けることを防止でき、ボタン型電池ＢＡのプラス極とマイナス極の逆接続を防止することができる。
【００４４】
次に、ボタン型電池ＢＡを交換する場合には、図４に示すように蓋部材７を回して電池収容部１０１から取り外し、そして、図８（Ｂ）から図８（Ｃ）に示すように、使用者は、ボタン型電池ＢＡを指Ｆで凹部（装着領域）３９に対してほぼ水平方向の一方向ＳＬに押す。これにより、ボタン型電池ＢＡの底面２９Ｄ側の角部分２０Ｇは、その円周方向反対側の角部分２０ＧＡを支点にして、突起部４２の傾斜面４３がガイドとなることで、傾斜面４３に沿って摺動しながら持ち上げられるので、高台部２５があったとしても、ボタン型電池ＢＡをＳＬ方向に沿って外す方向に押し出すことができる。これにより、ボタン型電池ＢＡは蓋部材３０から容易に取り外すことができる。
【００４５】
〔第１変形例〕
次に、本発明の上述した実施形態の第１変形例について、図１０を用いて説明する。
図１０は該第１変形例に係る活動量計１０−１について、ボタン型電池ＢＡを蓋部材３０に装着する操作を示す図であり、図８（Ａ）に対応した図である。
この図の活動量計１０−１が図１〜図８の活動量計１０と異なるのは、突起部についてである。
すなわち、上述した実施形態の突起部４２は、ボタン型電池ＢＡを基準にしてスライド方向ＳＬの片側にのみ形成されているが、本変形例では、スライド方向ＳＬのもう一方の片側Ｓ３（図５も参照）にも突起部８８が設けられている。
【００４６】
この突起部８８の構成自体は、既に説明した突起部４２と同様であり、ボタン型電池ＢＡの装着領域（凹部３９）の周辺であって（好ましくは隣接して）、少なくともボタン型電池ＢＡの厚みよりも低く形成され、そして、装着領域（凹部３９）側に、装着領域から離れるに従って徐々に高さを増すようにされた傾斜面８７が形成されている。
このようにして、一対の突起部４２，８８が、ボタン型電池ＢＡの装着領域を間に挟んで互いに対向するように配置されている。
【００４７】
本第１変形例は以上のように構成され、これにより、互いに対向する突起部４２，８８同士でボタン型電池ＢＡを挟んで固定度合いを高められ、さらに、傾斜面８７を案内面としてスライドさせながら、ボタン型電池ＢＡを力の入れやすい斜め上から押すようにして着脱手段４０と着脱手段４１との間にボタン型電池ＢＡを容易に装着できるので、簡単にボタン型電池ＢＡを装着できる。そして、この装着の際、周縁部３０Ａにある高台部２５や軟磁性部材９３に接触することなく、ボタン型電池ＢＡを蓋部材３０に装着することができる。
【００４８】
〔第２変形例〕
次に、本発明の上述した実施形態の第２変形例について、図１１を用いて説明する。
図１１は該第２変形例に係る活動量計１０−２であって、図７に対応した図である。
この図の活動量計１０−２が図１〜図８の活動量計１０と異なるのは、螺子部の位置についてである。
すなわち、本変形例の蓋部材３０もネジ式になっているが、その螺子部５７がガイド部４０Ａ，４１Ａではなく、蓋部材３０の外周側面３０ｂに形成されている。具体的には、螺子部５７は、螺着した状態におけるＯリング７１よりも電池収納部１０１側にあり、本変形例の場合は高台部２５の外周側面に形成されている。
そして、この高台部２５の螺子部（本変形例では雄ネジ）５７と螺着する螺子部（本変形例では雌ネジ）７６は、蓋収容空間部１０３の内周側面１０３ａに形成されている。
【００４９】
本第２変形例は以上のように構成され、これにより、小さく厚みの薄いガイド部４０Ａ，４１Ａに螺子部を形成することで生じる破損の恐れを有効に防止できる。なお、このようにガイド部４０Ａ，４１Ａに螺子部を設けない場合であっても、本変形例では、電池収納部１０１の中に凹部である電池収容空間部１０２を形成して、この電池収容空間部１０２の内周側面１０２ｂで着脱手段４０，４１が外側に広がらないように押えている。従って、ボタン型電池ＢＡの固定度も高められる。
【００５０】
〔第３変形例〕
次に、本発明の上述した実施形態の第３変形例について、図１２を用いて説明する。
図１２は該第３変形例に係る活動量計１０−３であって、図６に対応した図である。
この図の活動量計１０−３が図１〜図８の活動量計１０と異なるのは、着脱手段６５，６６と突起部８８の構成についてである。
すなわち、本変形例の一対の着脱手段６５，６６は、図６に示す着脱手段４０，４１の幅Ｗに比べて、夫々の幅Ｗ３が大きく、一対の着脱手段６５，６６でボタン型電池ＢＡの外周側面２９Ｅの略半周近くに隣接ないし密着するようになっている。なお、着脱手段６５，６６は、図６に示す着脱手段４０，４１と同様、内面３８から立設したガイド部６５Ａ，６６Ａ、及びガイド部６５Ａ，６６Ａの夫々と一体的に形成され、ボタン型電池ＢＡを上から押えるようにして係止する爪部６５Ｂ，６６Ｂを有している。
また、突起部８８については、図１０の突起部８８と同じ構成であり、ボタン型電池ＢＡを装着しようとする側Ｓ３の方にのみ設けられている。そして、この突起部８８とボタン型電池ＢＡを間に挟んで対向する部分Ｓ４には、着脱手段６５，６６が設けられていない空間がある。このＳ４部分の空間は、使用者の指を差し入れて、ボタン型電池ＢＡを突起部８８に向けて押すための指差入れ空間であり、使用者の指に対応した幅Ｗ４となっている。
【００５１】
本第３変形例は以上のように構成され、これにより、大きくなった着脱手段６５，６６により破損の恐れを有効に防止できる。また、ボタン型電池ＢＡを装着する際は、Ｓ３側から傾斜面８７を案内面としてスライドさせながら、ボタン型電池ＢＡを力の入れやすい斜め上から押すようにして着脱手段６５と着脱手段６６との間にボタン型電池ＢＡを容易に装着できる。また、ボタン型電池ＢＡを装着する際は、着脱手段６５，６６のない空間Ｓ４に指を差し入れて、ボタン型電池ＢＡをＳＬ方向に押せば、突起部８８の傾斜面８７に沿って摺動しながら持ち上げられるので、ボタン型電池ＢＡを蓋部材３０から容易に取り外すことができる。また、幅Ｗ４の大きい着脱手段６５，６６、突起部８８、位置決め用の凹部３９によりボタン型電池ＢＡの固定度合いを一層高めることができる。
【００５２】
本発明は、上記実施形態に限定されず、特許請求の範囲を逸脱しない範囲で種々の変更を行うことができる。上記実施形態の各構成は、その一部を省略したり、上記とは異なるように任意に組み合わせることができる。
例えば、図１２の着脱手段６５，６６について、図のＫＲの部分を除去して、着脱手段を３つ以上にしても構わない。また、図６の着脱手段４０，４１についても、これを分割するようにして３つ以上にしても構わない。即ち、本発明の着脱手段については、少なくとも、ボタン型電池の装着領域の直径方向の夫々にあって、一対とされ、そして、複数の着脱手段どうしの間にボタン型電池を挿入できれば、着脱手段の数や領域は上記実施形態に限られるものではない。
【符号の説明】
【００５３】
１０，１０−１，１０−２，１０−３・・・運動量測定装置（活動量計）、１９・・・アンテナ、３０・・・蓋部材、３８・・・内面、４０，４１，６５，６６・・・着脱手段、４０Ａ，４１Ａ，６５Ａ，６６Ａ・・・ガイド部、４０Ｂ，４１Ｂ，６５Ｂ，６６Ｂ・・爪部、４２，８８・・・突起部、５６・・・螺子部、４３，８７・・・傾斜面、１０１・・電池収納部、ＢＡ・・・ボタン型電池
【図１】
2016049163.tif 000003
【図２】
2016049163.tif 000004
【図３】
2016049163.tif 000005
【図４】
2016049163.tif 000006
【図５】
2016049163.tif 000007
【図６】
2016049163.tif 000008
【図７】
2016049163.tif 000009
【図８】
2016049163.tif 000010
【図９】
2016049163.tif 000011
【図１０】
2016049163.tif 000012
【図１１】
2016049163.tif 000013
【図１２】
2016049163.tif 000014
【図１３】
2016049163.tif 000015